(57)【要約】  【課題】パネルユニットが傾斜姿勢となってディスク挿入口が露出した状態で新たなディスクの誤挿入を確実に防止することのできるディスク装置を提供することである。  【解決手段】  前面にディスク挿入口１２１が形成された装置本体１００と、前記前面に開閉自在に設けられたパネルユニット２００と、パネル駆動機構１３０ａ、１３０ｂ、１３１ａ、１３１ｂとを有するディスク装置であって、前記前面に対して平行に下上動可能となり、ディスク挿入口１２１を開閉するシャッター板１０と、パネルユニット１０の動きと連動して動作し、パネルユニット２００が前記傾斜姿勢にあるときにディスク挿入口１２１を閉鎖し、パネルユニット２００が開放姿勢にあるときにディスク挿入口１２１を開放するようにシャッター板１０を下上動させるシャッター駆動機構１１ａ、１１ｂ、１２ａ、１２ｂ、２０１とを有する構成となる。【選択図】  図８
2007026546.tif 000002
【特許請求の範囲】
【請求項１】
前面にディスク挿入口が形成された装置本体と、前記前面に開閉自在に設けられたパネルユニットと、該パネルユニットの上端部を前記前面に沿わせつつその下端部を前記装置本体の前後方向に進退動させて前記パネルユニットを、前記前面を閉鎖する閉鎖姿勢、前記ディスク挿入口が露出するように所定角度傾斜した傾斜姿勢及び前記前面を開放する開放姿勢のいずれかに位置づけるパネル駆動機構とを有するディスク装置であって、
前記前面に対して平行に下上動可能となり、前記ディスク挿入口を開閉するシャッター板と、
前記パネルユニットの動きと連動して動作し、前記パネルユニットが前記傾斜姿勢にあるときに前記ディスク挿入口を閉鎖し、前記パネルユニットが開放姿勢にあるときに前記ディスク挿入口を開放するように前記シャッター板を下上動させるシャッター駆動機構とを有することを特徴とするディスク装置。
【請求項２】
前記シャッター駆動機構は、前記パネルユニットが前記閉鎖姿勢、前記傾斜姿勢及びそれらの間の姿勢にあるときに、前記ディスク挿入口を閉鎖した状態に前記シャッター板を維持させるようにしたことを特徴とする請求項１記載のディスク装置。
【請求項３】
前記シャッター駆動機構は、前記パネルユニットが前記傾斜姿勢から前記開放姿勢に至る間及び前記開放姿勢から前記傾斜姿勢に至る間に、前記シャッター板を、前記ディスク挿入口を閉鎖する位置と開放する位置との間で移動させるようにしたことを特徴とする請求項２記載のディスク装置。
【請求項４】
前記装置本体は、当該装置本体の底部との間に隙間が形成されるように設けられ前記ディスク挿入口の形成された前面パネルを有し、
前記パネル駆動機構は、前記隙間を通して前後方向に進退動する移動部材と、該移動部材の先端部に設けられ前記パネルユニットの下端部を回動自在に支持する支持部材とを有し、前記移動部材を進退動させることにより、前記パネルユニットの上端部を前記前面パネルに沿わせつつその下端部を前後方向に進退動させるようにし、
前記シャッター駆動機構は、前記パネルユニットが前記開放姿勢になるときに前記シャッター板を前記装置本体の底部と前記前面パネルとの間の隙間を閉ざすように位置づけるようにしたことを特徴とする請求項１乃至３のいずれかに記載のディスク装置。
【請求項５】
前記装置本体は、ディスク挿入口の形成された前面パネルを有し、
前記シャッター板は、前記前面パネルの裏側に設けられたことを特徴とする請求項１乃至４のいずれかに記載のディスク装置。
【請求項６】
前記シャッター板は、前記ディスク挿入口を閉鎖する最上部位置と最下部位置との間で前記前面に平行に下上動可能であって、下方への押圧力を受け得る突起部を有し、
前記シャッター駆動機構は、前記シャッター板を前記最上部位置に向けて付勢する弾性部材と、
前記パネルユニットと一体となり、その上端部と共に前記前面に沿って下上動する下上動部材とを有し、
前記シャッター板の突起部が、前記下上動部材の下上動軌跡内において当該下上動部材が当該突起部の上側から当接するように配置されたことを特徴とする請求項１乃至５のいずれかに記載のディスク装置。
【請求項７】
前記シャッター板の突起部は、前記パネルユニットが閉鎖姿勢から前記傾斜姿勢に至るまで前記下上動部材が当接しないように配置されたことを特徴とする請求項６記載のディスク装置。
【請求項８】
前記パネル駆動機構は、前記パネルユニットの上端部から側方に延びる支持ピン部材を上下方向にガイドするガイド溝の形成されたガイド部材を有し、
前記下上動部材は、前記支持ピン部材としたことを特徴とする請求項６または７記載のディスク装置。
【発明の詳細な説明】
【技術分野】
【０００１】
本発明は、装置本体の前面にディスク挿入口が形成され、該前面にパネルユニットが開閉自在に設けられたディスク装置に係り、詳しくは、前記パネルユニットの上端部を前記前面に沿わせつつその下端部を前記装置本体の前後方向に進退動させて当該パネルユニットを、前記前面を閉鎖する閉鎖姿勢、前記ディスク挿入口が露出するように傾斜した傾斜姿勢及び前記前面を開放する開放姿勢のいずれかに位置づけるようにしたディスク装置に関する。
【背景技術】
【０００２】
従来、ＤＶＤ、ＣＤ、ＭＤ等のディスク記録媒体（以下、単にディスクという）を用いる車載用のオーディオ装置やナビゲーション装置等のディスク装置において、その装置本体の前面にディスク挿入口が形成され、該前面に表示パネルユニット等のパネルユニットが開閉自在に設けられものが知られている。そして、特に、表示パネルユニットの上端部を前記前面に沿わせつつその下端部を前記装置本体の前後方向に進退動させて前記パネルユニットを、前記前面を閉鎖する閉鎖姿勢、前記ディスク挿入口が露出するように傾斜した傾斜姿勢及び前記前面を開放する開放姿勢のいずれかに位置づけるようしたディスク装置が提案されている（例えば、特許文献１参照）。
【０００３】
この従来のディスク装置では、表示パネルユニットが傾斜姿勢に位置づけられてディスク挿入口が露出した状態になると、装置本体のディスク挿入口の内方に位置する回転駆動部にセットされたディスクの回転駆動を停止させるようになっている。これにより、回転駆動部にディスクがセットされた状態でディスク挿入口に新たなディスクを誤って挿入したとしても、既に装置本体内（回転駆動部）にセットされているディスクを傷つけてしまうことを防止することができる。
【特許文献１】特開２００５−３２３４２号公報
【発明の開示】
【発明が解決しようとする課題】
【０００４】
しかしながら、前述した従来のディスク装置では、表示パネルユニットが傾斜姿勢となってディスク挿入口が露出した状態では新たなディスクをそのディスク挿入口から挿入することができてしまう。このため、回転していないとはいえ既にディスクがセットされている装置本体内にディスク挿入口から新たなディスクを誤って挿入しようとすると、その新たなディスクは正常に装置本体内にセットされることはなく、更に、無理に挿入しようとするとその新たなディスクが損傷してしまうおそれがある。
【０００５】
もともと、表示パネルユニットを傾斜姿勢にさせるのは、表示パネルユニットにおける表示内容の視認性を調整することができるようにするためのものであるが、このように表示パネルユニットを傾斜姿勢にしたときにディスク挿入口が露出すると、回転駆動部に既にセットされたディスクの回転（再生）時及び停止時のいずれにしても、そのディスク挿入口に新たなディスクを誤って挿入すると、ディスク損傷のおそれがある。
【０００６】
本発明は、このような従来のディスク装置の問題を解決するためになされたものであり、パネルユニットが傾斜姿勢となってディスク挿入口が露出した状態で新たなディスクの誤挿入を確実に防止することのできるディスク装置を提供するものである。
【課題を解決するための手段】
【０００７】
本発明に係るディスク装置は、前面にディスク挿入口が形成された装置本体と、前記前面に開閉自在に設けられたパネルユニットと、該パネルユニットの上端部を前記前面に沿わせつつその下端部を前記装置本体の前後方向に進退動させて前記パネルユニットを、前記前面を閉鎖する閉鎖姿勢、前記ディスク挿入口が露出するように所定角度傾斜した傾斜姿勢及び前記前面を開放する開放姿勢のいずれかに位置づけるパネル駆動機構とを有するディスク装置であって、前記前面に対して平行に下上動可能となり、前記ディスク挿入口を開閉するシャッター板と、前記パネルユニットの動きと連動して動作し、前記パネルユニットが前記傾斜姿勢にあるときに前記ディスク挿入口を閉鎖し、前記パネルユニットが開放姿勢にあるときに前記ディスク挿入口を開放するように前記シャッター板を下上動させるシャッター駆動機構とを有する構成となる。
【０００８】
このような構成により、パネルユニットが傾斜姿勢となって装置本体の前面に形成されたディスク挿入口が露出した状態において、シャッター板が前記ディスク挿入口を閉鎖するようになるので、その露出したディスク挿入口に新たなディスクを挿入することができない。また、パネルユニットが装置本体の前面を開放する開放姿勢になると、前記シャッター板が前記ディスク挿入口を開放するようになり、前記ディスク挿入口からディスクを挿入することができるようになる。
【０００９】
また、本発明に係るディスク装置において、前記シャッター駆動機構は、前記パネルユニットが前記閉鎖姿勢、前記傾斜姿勢及びそれらの間の姿勢にあるときに、前記ディスク挿入口を閉鎖した状態に前記シャッター板を維持させるようにした構成とすることができる。
【００１０】
このような構成により、パネルユニットが装置本体の前面を閉鎖する閉鎖姿勢、傾斜姿勢及びそれらの間の姿勢にあるときにシャッター板がディスク挿入口を閉鎖した状態を維持するので、少なくともパネルユニットが傾斜姿勢となってディスク挿入口が露出した状態では、そのディスク挿入口からディスクを挿入することができない。
【００１１】
更に、本発明に係るディスク装置において、前記シャッター駆動機構は、前記パネルユニットが前記傾斜姿勢から前記開放姿勢に至る間及び前記開放姿勢から前記傾斜姿勢に至る間に、前記シャッター板を、前記ディスク挿入口を閉鎖する位置と開放する位置との間で移動させるようにした構成とすることができる。
【００１２】
このような構成により、パネルユニットが傾斜姿勢から開放姿勢に至る間及び開放姿勢から傾斜姿勢に至る間に、シャッター板がディスク挿入口を閉鎖する位置と開放する位置との間で移動するようになるので、パネルユニットが傾斜姿勢にあってディスク挿入口が露出した状態ではそのディスク挿入口からディスクを挿入することができず、一方、パネルユニットが開放姿勢となるときにそのディスク挿入口からディスクを挿入することができるようになる。
【００１３】
また、本発明に係るディスク装置において、記装置本体は、当該装置本体の底部との間に隙間が形成されるように設けられ前記ディスク挿入口の形成された前面パネルを有し、前記パネル駆動機構は、前記隙間を通して前後方向に進退動する移動部材と、該移動部材の先端部に設けられ前記パネルユニットの下端部を回動自在に支持する支持部材とを有し、前記移動部材を進退動させることにより、前記パネルユニットの上端部を前記前面パネルに沿わせつつその下端部を前後方向に進退動させるようにし、前記シャッター駆動機構は、前記パネルユニットが前記開放姿勢になるときに前記シャッター板を前記装置本体の底部と前記前面パネルとの間の隙間を閉ざすように位置づけるようにした構成とすることができる。
【００１４】
このような構成により、移動部材が装置本体の前面パネルと底部との間の隙間から突出することによりパネルユニットの下端部が前面パネルの前方に進出して当該パネルユニットが開放姿勢になると、シャッター板が前記装置本体の前面パネルと底部との間の隙間を閉ざすようになるので、パネルユニットが開放姿勢となるときに、前記隙間から装置本体内にほこりや異物が進入することを極力防止することができる。
【００１５】
また、本発明に係るディスク装置において、前記装置本体は、ディスク挿入口の形成された前面パネルを有し、前記シャッター板は、前記前面パネルの裏側に設けられた構成とすることができる。
【００１６】
このような構成により、シャッター板が装置本体の前面パネルの裏側を上下動するようになるので、シャッター板が前方に露出することなく、前面パネルに形成されたディスク挿入口の閉鎖及び開放を行なうことができるようになる。
【００１７】
本発明に係るディスク装置において、前記シャッター板は、前記ディスク挿入口を閉鎖する最上部位置と最下部位置との間で前記前面に平行に下上動可能であって、下方への押圧力を受け得る突起部を有し、前記シャッター駆動機構は、前記シャッター板を前記最上部位置に向けて付勢する弾性部材と、前記パネルユニットと一体となり、その上端部と共に前記前面に沿って下上動する下上動部材とを有し、前記シャッター板の突起部が、前記下上動部材の下上動軌跡内において当該下上動部材が当該突起部の上側から当接するように配置された構成とすることができる。
【００１８】
このような構成により、シャッター板が弾性部材によって最上部位置に向けて付勢されているので、通常、シャッター板は装置本体の前面に形成されたディスク挿入口を閉鎖する最上部位置に保持され得る。一方、パネルユニットの上端部を装置本体の前面に沿わせつつその下端部を装置本体の前後方向に進退動させることによって、パネルユニットが閉鎖姿勢、傾斜姿勢、開放姿勢と変化する間、また、逆に開放姿勢、傾斜姿勢、閉鎖姿勢と変化する間に、パネルユニットの上端部と共に下上動部材が装置本体の前面に沿って下上動する。そして、前記シャッター板の突起部が、前記下上動部材の下上動軌跡内において当該下上動部材が当該突起部の上側から当接するように配置されているので、パネルユニットが閉鎖姿勢、傾斜姿勢、開放姿勢と変化して前記下上動部材が下方向に動く際にシャッター板の突起部に当接すると、その下上動部材によって前記突起部が下方向への押圧力を受けてシャッター板がディスク挿入口を閉鎖する最上部位置から最下部位置に向けて移動し得る。また、パネルユニットが開放姿勢、傾斜姿勢、閉鎖姿勢と変化して前記下上動部材が上方向に動く際に、弾性部材によって最上部位置に向けて付勢されるシャッター板が、前記上方向に動く下上動部材に追従して最上部位置に向けて移動し得る。
【００１９】
また、本発明に係るディスク装置において、前記シャッター板の突起部は、前記パネルユニットが閉鎖姿勢から前記傾斜姿勢に至るまで前記下上動部材が当接しないように配置された構成とすることができる。
【００２０】
このような構成により、パネルユニットが閉鎖姿勢、傾斜姿勢、開放姿勢と変化して変化して下上動部材が下方向に動く際に、パネルユニットが前記閉鎖姿勢から傾斜姿勢に至るまで前記下上部材がシャッター板の突起に当接しないので、パネルユニットが閉鎖姿勢から傾斜姿勢になるまでシャッター板が最上部位置に保持され、装置本体の前面に形成されたディスク挿入口がシャッター板によって閉鎖された状態に維持される。
【００２１】
また、本発明に係るディスク装置において、前記パネル駆動機構は、前記パネルユニットの上端部から側方に延びる支持ピン部材を上下方向にガイドするガイド溝の形成されたガイド部材を有し、前記下上動部材は、前記支持ピン部材とした構成とすることができる。
【００２２】
このような構成により、パネルユニットを動かすパネル駆動機構の一部（支持ピン部材）をシャッター駆動機構の一部となる下上動部材として利用するので、そのシャッター駆動機構の構成を簡略することができるようになる。
【発明の効果】
【００２３】
本発明に係るディスク装置によれば、パネルユニットが傾斜姿勢となって装置本体の前面に形成されたディスク挿入口が露出した状態においてシャッター板が前記ディスク挿入口を閉鎖してディスク挿入口に新たなディスクを挿入することができなくなるので、新たなディスクの誤挿入を確実に防止することができるようになる。
【発明を実施するための最良の形態】
【００２４】
以下、本発明の実施の形態について、図面を用いて説明する。
【００２５】
本発明の実施の一形態に係るディスク装置は、図１乃至図５に示すように構成される。なお、図１は表示パネルユニット（パネルユニット）が傾斜姿勢となる状態のディスク装置を示す斜視図、図２は図１に示す表示パネルユニットを取り除いた状態のディスク装置を示す斜視図、図３は表示パネルユニットが開放姿勢となる状態のディスク装置を示す斜視図、図４は図３に示す表示パネルユニットを取り除いた状態のディスク装置を示す斜視図であり、図５は表示パネルユニットが閉鎖姿勢となる状態のディスク装置を示す側面図及び正面図である。
【００２６】
図１乃至図４において、このディスク装置は、装置本体１００及び表示パネルユニット２００を有している。装置本体１００は、前面が開放した筐体１０１と、筐体１０１の開放された前面縁部に装着された枠体１１０（ＥＳＣ）と、枠体１１０に対して一体的に形成され、枠体１１０内において筐体１０１の前面を塞ぐ前面パネル１２０とを有している。前面パネル１２０の上端部分にはＤＶＤ及びＣＤ用の第１ディスク挿入口１２１が形成され、その上下方向の中央部分にはメモリカード用のスロット１２２及びＭＤ用の第２ディスク挿入口１２３が形成されている。筐体１０１内には第１ディスク挿入口１２１に対向して、図５に示すように、ＤＶＤ及びＣＤ用のディスク駆動機構１５０が設けられている。なお、図示されてはいないが、筐体１０１内には、スロット１２２に対向してメモリカードの接続端子が配置され、また、第２ディスク挿入口１２３に対向してＭＤ用のディスク駆動機構が設けられている。
【００２７】
表示パネルユニット２００は、表示面２００ａ（例えば、ＬＣＤ）を外側に向けて後述するように装置本体１００に対して開閉自在に設けられている。表示パネルユニット２００には表示面２００ａのほか、その表示面２００ａが露出する側の枠部分に種々の操作釦が設けられている。表示パネルユニット２００には、その上端部から両側方のそれぞれに延びる支持ピン部材２０１（下上動部材）（図５参照）が設けられている。装置本体１００における枠体１１０の両側部それぞれの内側には上下方向に延びるガイド溝１１１（ガイド部材）が形成されている（一方側のガイド溝１１１しか図示されていない（図２乃至図５参照））。表示パネルユニット２００の両側方のそれぞれに延びる支持ピン部材２０１は、図５に示すように、枠体１１０の対応する側部内側に形成されたガイド溝１１１に移動可能に嵌り込んでいる。
【００２８】
支持ピン部材２０１の詳細な構造は図６に示すようになっている。なお、図６は、図３に示す表示パネルユニット２００と枠体１１０との結合部分の破線で示す面に垂直な方向Ａから見た断面図（Ａ矢視断面図）である。即ち、支持ピン部材２０１は、表示パネルユニット２００の筐体上端部から側方に突出する軸部２０１ａの先端にローラ２０１ｂが設けられた構造となっており、ローラ２０１ｂが枠体１０１に形成されたガイド溝１１１に回転自在に嵌り込んでいる。これにより、ローラ２０１ｂがガイド溝１１１にガイドされつつ支持ピン部材２０１が上下移動可能となる。
【００２９】
前述した前面パネル１２０の下縁と筐体１０１の底部との間には隙間１２５が形成されている。筐体１０１には、隙間１２５を通して前後方向に進退動する一対の進退アーム１３０ａ、１３０ｂ（移動部材）が設けられ、筐体１０１内に設けられた駆動機構（図示されず）によって進退アーム１３０ａ、１３０ｂが進退動するようになっている。各進退アーム１３０ａ、１３０ｂの先端には、表示パネルユニット２００の下端側部を回動自在に支持する支持部材１３１ａ、１３１ｂが設けられている。
【００３０】
各進退アーム１３０ａ、１３０ｂが筐体１０１内に最も引き込まれた状態で、図５に示すように、表示パネルユニット２００の支持ピン部材２０１がガイド溝１１１の最上端に位置し、表示パネルユニット２００が、略直立した状態で枠体１１０内に収容されて装置本体１００の前面パネル１２０を覆う姿勢、即ち、閉鎖姿勢となる。各進退アーム１３０ａ、１３０ｂが筐体１０１から次第に進出していくと、それに伴って表示パネルユニット２００の下端部が、表示面２００ａが上方に向くように回動しつつ進出する。そして、この下端部の進出により表示パネルユニット２００の上端部が前方に引張られると、ローラ２０１ｃがガイド溝１１１にガイドされつつ支持ピン部材２０１が下方に移動し、それに伴って表示パネルユニット２００の上端部が前面パネル１２０に沿って下方向に移動する。また、逆に、各進退アーム１３０ａ、１３０ｂが筐体１０１内に退動していくと、それに伴って表示パネルユニット２００の下端部が、表示面２００ａが立ち上がるように回動しつつ退動する。そして、この下端部の退動により表示パネルユニット２００の上端部が後方に押されると、ローラ２０１ｃがガイド溝１１１にガイドされつつ支持ピン部材２０１が上方に移動し、それに伴って表示パネルユニット２００の上端部が前面パネル１２０に沿って上方向に移動する。
【００３１】
前面パネル１２０の裏側には、シャッター板１０が設けられている。シャッター板１０は、その両側部が摺動可能にガイドされており（図示略）、下上動可能となっている。シャッター板１０の下端部と筐体１０１の天板との間に２つのスプリング１１ａ、１１ｂ（弾性部材）が掛けられている。これらスプリング１１ａ、１１ｂによる上方向の付勢により、シャッター板１０は常時最上部位置に保持されており、下方に向かう押圧力によりスプリング１１ａ、１１ｂの付勢力に抗して下方に移動可能となる。前記最上部位置にあるシャッター板１０によって第１ディスク挿入口１２１が閉鎖される。シャッター板１０の下縁両側部には切欠き１３ａ、１３ｂが形成されており、シャッター板１０が下降して最下部位置に達したときに前面パネル１２０の下方の隙間１２５から突出する各進退アーム１３０ａ、１３０ｂをにげるようになっている（図４参照）。
【００３２】
シャッター板１０の両側部の所定部位には前方に突出する突起部１２ａ、１２ｂが設けられている。前面パネル１２０の両側部には上下方向に延びるスリット１２４ａ、１２４ｂ（図２、図３、図４、図６及び後述する図９参照）が形成されており、図６に詳細に示すように、前面パネル１２０の裏側に配置されたシャッター板１０の突起部１２ａ、（１２ｂ）がスリット１２４ａ、（１２４ｂ）を通して前方に突出している。前述したように表示パネルユニット２００の上端部から両側方のそれぞれに延びる支持ピン部材２０１は、図６及び図７に示すように、軸部２０１ａのローラ２０１ｂの装着された先端部と逆側の根元部分にスタッド２０１ｃが装着されている。各突起部１２ａ、１２ｂは、ガイド溝１１１に沿った各支持ピン部材２０１の下上動軌跡において各支持ピン部材２０１のスタッド２０１ｃが当該突起部１２ａ、１２ｂの上側から当接するように配置され、また、図５に示すように、表示パネルユニット２００が閉鎖姿勢から後述する傾斜姿勢（図１に示す姿勢）に至るまで表示パネルユニット２００の上端部と共に下上動する支持ピン部材２０１（スタッド２０１ｃ）が当接しないようにその位置が決められている。
【００３３】
前述したようなディスク装置では、表示パネルユニット２００が装置本体１００の前面を閉鎖する閉鎖姿勢にあるときには、図５に示すように、シャッター板１０が最上部位置にあって、第１ディスク挿入口１２１を閉鎖している。この状態で、筐体１０１内のディスク駆動機構１５０にセットされているＤＶＤ、ＣＤなどのディスクＤの再生等が可能となる。
【００３４】
表示パネルユニット２００を傾斜させるための操作釦（表示パネルユニット２００に設けられている）の操作がなされると、進退アーム１３０ａ、１３０ｂが所定位置まで進出する。これにより、進退アーム１３０ａ、１３０ｂの先端に回動自在に支持された表示パネルユニット２００の下端部が進出すると共にその上端部が前面パネル１２０に沿って下降し、表示パネルユニット２００は表示面２００ａを上方に向けつつ傾斜する。そして、表示パネルユニット２００は、図１及び図８に示すように、所定角度傾斜した傾斜姿勢となって停止する。この状態で、前面パネル１２０に形成された第１ディスク挿入口１２１が露出する。
【００３５】
表示パネルユニット２００が前記閉鎖姿勢から前記傾斜姿勢に至る過程で、表示パネルユニット２００の上端部の両側方に延びる支持ピン部材２０１（ローラ２０１ｂ）がガイド溝１１１にガイドされつつ下降する。その支持ピン部材２０１は、スタッド２０１ｃがシャッター板１０の突起部１２ａ、１２ｂに当接することなく下降して表示パネルユニット２００が傾斜姿勢になった時点で初めて突起部１２ａ、１２ｂに当接する。従って、表示パネルユニット２００が前記閉鎖姿勢、傾斜姿勢及びそれらの間の姿勢にあるときに、シャッター板１０は最上部位置に保持され、このシャッター板１０によって第１ディスク挿入口１２１が閉鎖された状態が維持される。
【００３６】
このように、表示パネルユニット２００が傾斜姿勢となって第１ディスク挿入口１２１が露出しても、第１ディスク挿入口１２１がシャッター板１０によって閉鎖されているので、ディスクＤは第１ディスク挿入口１２１に挿入できない。即ち、表示パネルユニット２００が傾斜姿勢になる状態において露出する第１ディスク挿入口１２１へのディスクＤの誤挿入が確実に防止される。なお、利用者は、傾斜姿勢となった表示パネルユニット２００の表示面２００ａに表示された情報（ＤＶＤから再生された地図情報等）を見ることができる。
【００３７】
表示パネルユニット２００を開放姿勢にする操作釦の操作がなされると、進退アーム１３０ａ、１３０ｂが更に進出する。これにより、表示パネルユニット２００の下端部が更に進出すると共にその上端部が前面パネル１２０に沿って更に下降し、表示パネルユニット２００は表示面２００ａを上方に向けつつ更に傾斜する。そして、進退アーム１３０ａ、１３０ｂが最突出位置に至ると、表示パネルユニット２００は、図３及び図９に示すように、略水平状態となって装置本体１００の前面を開放する開放姿勢となる。
【００３８】
表示パネルユニット２００が前記傾斜姿勢から前記開放姿勢に至る過程で、表示パネルユニット２００の上端部から両側方に延びる支持ピン部材２０１が、スタッド２０１ｃが図１０に示すようにシャッター板１０の突起部１２ａ、１２ｂに当接しつつ下降する。この下降する支持ピン部材２０１により突起部１２ａ、１２ｂが下方向に押圧力を受けてシャッター板１０がスプリング１１ａ、１１ｂの付勢力に抗して下方向に移動する。このようにシャッター板１０が下降する過程で、第１ディスク挿入口１２１が開放され、表示パネルユニット２００が前記開放姿勢になったときに、シャッター板１０が、図４（図３における表示パネルユニット２００を取り除いた図）及び図９に示すように最下部位置に達する。
【００３９】
このように表示パネルユニット２００が開放姿勢になると、シャッター板１０が第１ディスク挿入口１０を開放し、ディスクＤが第１ディスク挿入口１２１から挿入できるようになる（図９参照）。なお、表示パネルユニット２００が開放姿勢にあるときには、図３に示すように、前面パネル１２０に形成されたメモリカード用のスロット１２２及び第２ディスク挿入口１２３も露出した状態となる。
【００４０】
シャッター板１０が最下部位置に達すると、図４に示すように、シャッター板１０が切欠き１３ａ、１３ｂによって進退アーム１３０ａ、１３０ｂを逃げつつ前面パネル１２０の下縁と筐体１０１の底部との間に形成された隙間１２５を閉鎖する。これにより、表示パネルユニット２００が開放姿勢となるときに、装置本体１００の前面に形成される隙間１２５から装置本体１００（筐体１０１）内にほこりや異物が進入することを防止することができる。
【００４１】
なお、表示パネルユニット２００は、進退アーム１３０ａ、１３０ｂの退動により、前述した動作と逆に、開放姿勢（図３、図９参照）から傾斜姿勢（図１、図８参照）に変化する。その過程で、スプリング１１ａ、１１ｂにより上方向に付勢されるシャッター板１０は、表示パネルユニット２００の上端部から両側に突出する支持ピン部材２０１の上昇に伴って突起部１２ａ、１２ｂがその支持ピン部材２０１のスタッド２０１ｃへの当接状態を維持しつつ上昇する（図１０参照）。そして、表示パネルユニット２００が傾斜姿勢になると、シャッター板１０が最上部位置に達し、第１ディスク挿入口１２１がシャッター板１０によって閉鎖される。
【００４２】
表示パネルユニット２００が進退アーム１３０ａ、１３０ｂの更なる退動により、傾斜姿勢から閉鎖姿勢に変化する。その際、表示パネルユニット２００の支持ピン部材２０１がシャッター板１０の突起部１２ａ、１２ｂからはずれ、シャッター板１０は第１ディスク挿入口１２１を閉鎖する最上部位置に保持される。
【００４３】
前述したように本発明の実施の形態に係るディスク装置によれば、表示パネルユニット２００が傾斜姿勢となって前面パネル１２０に形成された第１ディスク挿入口１２１が露出した状態においてシャッター板１０が第１ディスク挿入口１２１を閉鎖してその第１ディスク挿入口１２１に新たなディスクＤを挿入することができなくなるので、新たなディスクＤの誤挿入を確実に防止することができるようになる。
【００４４】
なお、前述したディスク装置では、表示パネルユニット２００の上端部から両側方に延びる支持ピン部材２０１によってシャッター板１０の突起部１２ａ、１２ｂを押し下げるようにしているが、前面パネル１２０に沿って下上動する表示パネルユニット２００の上端部に別途設けられる他の部材にてシャッター板１０の突起部１２ａ、１２ｂを押し下げるようにすることもできる。また、表示パネルユニット２００に代えて操作釦等の配列された操作パネルユニット（表示面がなくてもよい）が装置本体１００に対して開閉自在に設けられたディスク装置においても、前述した機構は同様に適用することができる。
【産業上の利用可能性】
【００４５】
以上、説明したように、本発明に係るディスク装置は、パネルユニットが傾斜姿勢となって装置本体の前面に形成されたディスク挿入口が露出した状態において新たなディスクの前記ディスク挿入口への誤挿入を確実に防止することができるという効果を有し、装置本体の前面にディスク挿入口が形成され、該前面にパネルユニットが開閉自在に設けられたディスク装置として有用である。
【図面の簡単な説明】
【００４６】
【図１】表示パネルユニットが傾斜姿勢となる状態の本発明の実施の形態に係るディスク装置を示す斜視図である。
【図２】図１に示す表示パネルユニットを取り除いた状態のディスク装置を示す斜視図である。
【図３】表示パネルユニットが開放姿勢となる状態の本発明の実施の形態に係るディクス装置を示す斜視図である。
【図４】図３に示す表示パネルユニットを取り除いた状態のディスク装置を示す斜視図である。
【図５】表示パネルユニットが閉鎖姿勢となる状態のディスク装置を示す側面図及び正面図である。
【図６】表示パネルユニットと枠体との結合部分の詳細構造を示す断面図である。
【図７】シャッター板の突起部及び支持ピン部材の構造を示す斜視図である。
【図８】表示パネルユニットが傾斜姿勢となる状態のディスク装置を示す側面図及び正面図である。
【図９】表示パネルユニットが開放姿勢となる状態のディスク装置を示す側面図及び正面図である。
【図１０】シャッター板の突起部と支持ピン部材との当接状態を示す斜視図である。
【符号の説明】
【００４７】
１０  シャッター板
１１ａ、１１ｂ  スプリング
１２ａ、１２ｂ  突起部
１３ａ、１３ｂ  切欠き
１００  機器本体
１０１  筐体
１１０  枠体
１１１  ガイド溝
１２０  前面パネル
１２１  ディスク挿入口
１２２  メモリユニット挿入口
１２３  ＭＤ挿入口
１２４ａ、１２４ｂ  スリット
１２５  隙間
１３０ａ、１３０ｂ  進退アーム
１３１ａ、１３１ｂ  支持部材
２００  表示パネルユニット
２００ａ  表示画面
２０１  支持ピン部材
２０１ａ  軸部
２０１ｂ  ローラ
２０１ｃ  スタッド
【図１】
2007026546.tif 000003
【図２】
2007026546.tif 000004
【図３】
2007026546.tif 000005
【図４】
2007026546.tif 000006
【図５】
2007026546.tif 000007
【図６】
2007026546.tif 000008
【図７】
2007026546.tif 000009
【図８】
2007026546.tif 000010
【図９】
2007026546.tif 000011
【図１０】
2007026546.tif 000012